(57)【特許請求の範囲】
【請求項１】
枢動体を物体本体に枢動自在に支持する枢動体支持部材と前記枢動体支持部材を物体本体に対して昇降自在に保持する枢動体支持部材昇降機構とを備え、前記枢動体支持部材昇降機構は、前記枢動体支持部材をその上昇位置に位置保持する位置保持手段を含む枢動体支持装置において、
前記位置保持手段は、前記枢動体支持部材の上昇位置で前記枢動体支持部材の昇降方向に対して傾斜して変位して前記物体本体の前記枢動体支持部材を案内する案内孔の周りに設けられた被係止部に係止する係止部材を含んでおり、
前記枢動体支持部材昇降機構は、前記枢動体支持部材に取り付けられて前記案内孔を昇降可能な支持杆を備えており、
前記係止部材は、前記枢動体支持部材の傾斜に伴って前記支持杆に対して傾斜するとともに当該傾斜状態で前記被係止部に係止すること
を特徴とする枢動体支持装置。
【請求項２】
請求項１に記載の枢動体支持装置であって、
前記係止部材は、前記支持杆の縦溝を通して内外に変位するように前記支持杆に枢支された係止板片から成ること
を特徴とする枢動体支持装置。
【請求項３】
請求項１又は２に記載の枢動体支持装置であって、
前記枢動体支持部材昇降機構は、前記物体本体の後部に取り付けられ前記支持杆が昇降自在に嵌入する保持管を備え、
前記保持管は前記物体本体の上面から突出する突出部を備え、
前記枢動体支持部材の上昇位置で前記係止部材が前記支持杆の縦溝を通して前記支持杆外に斜めに変位して前記突出部の上縁に係止すること
を特徴とする枢動体支持装置。
【発明の詳細な説明】
【技術分野】
【０００１】
本発明は、例えば、洋風便器の便座を便器本体に対して枢動自在に支持する装置の如き種々の枢動体付き物体の本体に対して枢動体を枢動自在に支持する枢動体支持装置に関し、更に詳細に述べると、枢動体付き物体（例えば、便器）の清掃時に枢動体（例えば、便座）の支持部と物体本体（例えば、便器本体）との間を清掃することができるように枢動体の支持部を物体本体に対して昇降自在とした枢動体支持装置の改良に関するものであるが、以下では、「便器」を物体本体の具体例として説明する。
【背景技術】
【０００２】
便器の清掃時に便座の支持部を便器本体から持ち上げて便器本体と支持部との間を清掃することができるように、便座の支持部を昇降自在とする便座支持装置は知られている（特許文献１及び２参照）。【０００３】
この種の便座支持装置は、便座を枢支する便座支持部材（特許文献１の符号６、特許文献２の符号３参照）を便器本体に対して昇降自在に支持する便座支持部材昇降機構を備えている。【０００４】
特許文献１に開示されている便座支持部材昇降機構は、便座支持部材であるブラケット（ヒンジ体）６に取り付けられた支持杆（縦軸）７と、この支持杆７が回り止め状態で昇降自在に嵌入するように便器本体１の後部に取り付けられたホルダー具８と、ブラケット６を便器本体１に接して載せた下降位置とブラケット６を便器本体１から持ち上げた上昇位置とにそれぞれ保持する位置保持手段（特許文献１の符号１０−１３）とから成っている。【０００５】
特許文献１の位置保持手段は、支持杆７の外周面の環状保持溝１１（凹溝）に保持されたＯリング状の弾性保持体１０と、ホルダー具８の内周面に上下に間隔をあけて設けられた環状の位置保持溝１２、１３（凹溝）とから成り、ブラケット６が便器本体１に載っている位置では弾性保持体１０がホルダー具８の下方の位置保持溝１３に係入し、ブラケット６が便器本体１から持ち上げられた位置では弾性保持体１０がホルダー具８の上方の位置保持溝１２に係入してブラケット６を持ち上げ位置に保持している。【０００６】
一方、特許文献２の便座支持部材昇降機構は、便座支持部材であるブラケット３（本体部）を昇降自在に支持するように便器本体２（便器）に固定して取り付けられたガイド軸１と、ブラケット３を便器本体２に接して載せた下降位置とブラケット３２を便器本体２から持ち上げた上昇位置とにそれぞれ保持する位置保持手段（特許文献２の符号５、１６、１７）とから成っている。【０００７】
特許文献２の位置保持手段は、ブラケット３に水平方向に変位自在に保持された切替操作レバー５と、ガイド軸１の後面に上下に間隔をあけて設けられ切替操作レバー５の円形軸部が係入する位置保持用係止溝１６、１７とから成り、切替操作レバー５は、昇降時に、ガイド軸１の係止溝１６、１７に隣接してこれらの溝の係止から解放するように設けられた半円形の昇降溝５５を有する。ブラケット３の昇降時には、切替操作レバー５をばね付勢に抗して指で押して下方の係止溝１７から切替操作レバー５の円形軸部を外し、半円形の昇降溝５５を有する軸部を係止溝１７に位置させるように切替操作レバー５を水平変位し、ブラケット３の上昇後、切替操作レバー５から指を離して切替操作レバー５をもとの水平位置にばね復帰してガイド軸１の円形軸部を上方の係止溝１６に位置させる（特許文献２の図２参照）。このようにして、ブラケット３は、切替操作レバー５の円形軸部がガイド軸１の上方の係止溝１６に係入してブラケット３の上昇位置が保持される。【０００８】
しかし、これらの特許文献１及び２の位置保持手段は、いずれも、ブラケットの上昇位置で係入溝に弾性保持体１０（特許文献１）又は切替操作レバー５の円形軸部が係入してブラケットを上昇位置に保持しているので、例えば、清掃中にブラケットに手を添えて上から垂直方向の力が加わったりすると、弾性保持体１０又は切替操作レバー５の円形軸部が係止溝から外れやすく、ブラケットが不本意に下降して便器の清掃に支障を来す虞があった。また、特許文献２の位置保持手段は、切替操作レバー５を指で押しながらブラケット３を昇降しなければならないので、ブラケットの持ち上げ操作が面倒であった。【０００９】
【特許文献１】実開平４−１０１６９７号公報
【特許文献２】特開平８−１７７１０４号公報
【発明の概要】
【発明が解決しようとする課題】
【００１０】
本発明が解決しようとする課題は、便座支持部材の如き枢動体支持部材に上方から力が加わっても枢動体支持部材が不本意に下降することがなく、従って枢動体付き物体（例えば、便器）の清掃を確実に行うことができ、また枢動体支持部材の持ち上げ操作が面倒となることがない枢動体支持装置を提供することにある。
【課題を解決するための手段】
【００１１】
本発明の課題解決手段は、枢動体を物体本体に枢動自在に支持する枢動体支持部材と前記枢動体支持部材を物体本体に対して昇降自在に保持する枢動体支持部材昇降機構とを備え、前記枢動体支持部材昇降機構は、前記枢動体支持部材をその上昇位置に位置保持する位置保持手段を含む枢動体支持装置において、
前記位置保持手段は、前記枢動体支持部材の上昇位置で前記枢動体支持部材の昇降方向に対して傾斜して変位して前記物体本体の前記枢動体支持部材を案内する案内孔の周りに設けられた被係止部に係止する係止部材を含んでおり、
前記枢動体支持部材昇降機構は、前記枢動体支持部材に取り付けられて前記案内孔を昇降可能な支持杆を備えており、
前記係止部材は、前記枢動体支持部材の傾斜に伴って前記支持杆に対して傾斜するとともに当該傾斜状態で前記被係止部に係止すること
を特徴とする枢動体支持装置を提供することにある。
【００１３】
また、本発明の課題解決手段において、前記枢動体支持部材昇降機構は、前記案内孔を通して昇降可能な支持杆を備え、前記係止部材は、前記支持杆の縦溝を通して内外に変位するように前記支持杆に枢支された係止板片から成っている形態とすることができる。【００１４】
更に、本発明の課題解決手段において、前記枢動体支持部材昇降機構は、前記物体本体の後部に取り付けられ前記支持杆が昇降自在に嵌入する保持管を備え、前記保持管は前記物体本体の上面から突出する突出部を備え、前記枢動体支持部材の上昇位置で前記係止部材が前記支持杆の縦溝を通して前記支持杆外に斜めに変位して前記突出部の上縁に係止する形態とすることができる。
【発明の効果】
【００１６】
本発明によれば、上記のように、枢動体（例えば、便座）支持部材の上昇（持ち上げ）位置で、位置保持手段の係止部材は、昇降方向に対して斜めに変位して物体本体の被係止部に係止するので、枢動体支持部材を物体本体で下支えすることになり、従って、従来技術のように、半円形の係止溝に弾性保持体やレバーの軸部が係入する場合に比べて、上から垂直に力が加わることがあっても、枢動体支持部材が不本意に下降することがなく、枢動体支持部材を確実に持ち上げ状態に保持し、便器の如き物体の清掃に支障を来すことがない。【００１７】
また、前記係止部材は、前記枢動体支持部材の傾斜に伴って前記支持杆に対して傾斜する形態とすることができる。このようにすると、枢動体支持部材をその上昇位置で前後に傾けるだけで枢動体支持部材と共に係止部材が斜めに変位して被係止部に係止されるので、係止部材に斜めに変位する力を与える必要がなく、取り扱い操作が容易となる。
【図面の簡単な説明】
【００１８】
図面は、物体が洋風便器であり、枢動体が便座、便蓋である場合に本発明を適用した例を示し、以下の説明では物体を「便器」、枢動体を「便座」、枢動体支持部材を「便座支持部材」、枢動体支持装置を「便座支持装置」と称して説明する。
【図１】本発明の便座支持装置を備えた洋風便器の便座、便蓋の開状態を示し、同図（Ａ）は、便座支持部材が便器本体に載っている下降位置にある状態の斜視図、同図（Ｂ）は、便座支持部材が便器本体から持ち上げられた上昇位置にある状態の斜視図である。
【図２】本発明の一実施例による便座支持装置を断面にして示し、同図（Ａ）は、便座支持部材が下降位置にある状態の断面図、同図（Ｂ）は、図２（Ａ）の要部の一層拡大した断面図である。
【図３】図１の便器の便座支持部材に便座と便蓋とを支持する構造を分解して示す分解拡大斜視図である。
【図４】図２の便座支持装置の外観を示し、同図（Ａ）は、その便座支持部材の下降位置の斜視図、同図（Ｂ）は、その便座支持部材の上昇位置の斜視図である。
【図５】図２の便座支持装置を拡大して示し、同図（Ａ）は、弁座支持部材を除く部品の分解斜視図、同図（Ｂ）は、支持杆の斜視図、同図（Ｃ）は、保持管の斜視図、同図（Ｄ）は、便座支持部材を除く装置全体の組立状態の斜視図である。
【図６】図２の便座支持装置の便座支持部材と支持杆内の係止部材との取付け構造を示し、同図（Ａ）は、この構造を上から俯瞰した斜視図、同図（Ｂ）は、この構造を下から俯瞰した分解斜視図である。
【図７】図２の便座支持装置の便座支持部材が最も下降位置にある状態から上昇位置にあって支持杆を上昇位置に位置保持している状態までの変化を（Ａ）乃至図（Ｅ）で順次示す縦断面図である。
【図８】本発明の異なる実施例の図７（Ｃ）（Ｄ）に相応する縦断面図である。
【発明を実施するための形態】
【００１９】
本発明に係る便座支持装置を図面を参照して述べると、図１は、本発明の最も好ましい実施例による便座（枢動体）支持装置２０を備えた洋風便器（物体）１０を示し、この便器１０は、便器（物体）本体１２と便座（枢動体）１４と便蓋（枢動体）１６とを備え、便座１４と便蓋１６とは、便器本体１２の後部に本発明の便座支持装置２０によって枢動自在に支持されている。
【００２０】
本発明の便座支持装置２０は、図１乃至図４に示すように、便座１４と便蓋１６とを便器本体１２に枢動自在に支持する便座支持部材３０と、この便座支持部材３０を便器本体１２に対して昇降自在に保持する便座支持部材昇降機構４０とを備え、便座支持部材昇降機構４０は、便座支持部材３０を少なくともその上昇位置に位置保持する位置保持手段５０（図４参照）を含んでいる。
【００２１】
便座支持部材昇降機構４０は、特に、図４に示すように、便座支持部材３０を便器本体１２の後部上面に接して便座１４と便蓋１６とが便器本体１２の上面に対して適正に開閉することができる下降位置と、便器１０を清掃する際に、便座支持部材３０と便器本体１２との間を清掃することができるように便座支持部材３０を便器本体１２に対して持ち上げる上昇位置との間で便座支持部材３０を昇降するように構成されている。
【００２２】
位置保持手段５０は、便座支持部材３０の上昇位置で便座支持部材３０の昇降方向に対して斜めに傾斜して変位して便器本体１２の上面で便座支持部材３０を案内する案内孔１２Ｈ（図２参照）の周りに設けられた被係止部５２の上縁に係止する係止部材５４を含んでいる。
【００２３】
本発明の図示の実施例では、便座支持部材３０は、図１に示すように、便器本体１２の後部に横方向に間隔をあけて配置された２つのブラケット３２Ｒ、３２Ｌ（総体的には符号３２で示されている）から成っており、便座１４と便蓋１６とは、図２及び図３に示すように、それらの左右のタブ１４ＴＲ、１４ＴＬ及び１６ＴＲ、１６ＴＬをダンパーヒンジ３４Ｒ、３４Ｌによってブラケット３２Ｒ、３２Ｌにピボット止めしてこれらのブラケット３２Ｒ、３２Ｌに枢動自在に支持されている。
【００２４】
図示の実施例では、便座（枢動体）支持部材昇降機構４０は、便座支持部材３０（ブラケット３２）に取り付けられた支持杆４２と、便器本体１２の後部に取り付けられ支持杆４２が昇降自在に嵌入する保持管４４とから成っている。支持杆４２は、図５に示すように、略断面円形の中空管４２Ｐから成っており、下端付近に径方向に貫通する頭部付ねじ４６Ｓに頭部と反対側のねじ部に螺合されたナット４６Ｎから成るストッパー４６によって支持杆４２の上昇位置で保持管４４から抜け出るのが防止される。保持管４４は、図５に示すように、便器本体１２の後部上面板１２ＴＰの案内孔１２Ｈにねじ込まれるフランジ４４ＳＦ付のねじ管４４Ｓから成っており、フランジ４４ＳＦが便器本体１２の上面板１２ＴＰの上面に衝合し、ねじ管４４Ｓに螺合されたフランジ４４ＮＦ付ナット４４Ｎのフランジ４４ＮＦが上面板１２ＴＰの下面に衝合して便器本体１２の上面板１２ＴＰを挟持するようにこの上面板１２ＴＰに固定されている。
【００２５】
図示の実施の形態では、位置保持手段５０の係止部材５４は、図４及び図５に示すように、支持杆４２内にピン５６によって枢支され支持杆４２の１対の縦溝４２Ｇのうち一方の縦溝から突出して支持杆４２外に斜めに変位することができる係止板片５４Ｐから成り、被係止部５２は、保持管４４のねじ管４４Ｓのフランジ４４ＳＦに一体に設けられ便器本体１２の上面から突出する環状突出部５２Ｐから成っている。従って、便座支持部材３０（ブラケット３２）の上昇位置で係止部材５４（係止板片５４Ｐ）が斜めに変位すると、この係止板片５４Ｐは、この環状突出部５２Ｐの上縁に係止することができる。
【００２６】
図５（Ａ）（Ｂ）に示すように、支持杆４２は、その中空管４２Ｐの上端に係入されて係止板片５４Ｐの枢支部を補強し、且つ係止板片５４Ｐが支持杆４２の縦溝４２Ｇに確実に整列するように位置合わせする位置合わせ端材４２ＲＥを含み、この位置合わせ案内端材４２ＲＥは、中空管４２Ｐの縦溝４２Ｇに整合する縦溝４２ＲＥＧを有し、係止板片５４Ｐは、この位置合わせ端材４２ＲＥの縦溝４２ＲＥＧと中空管４２Ｐの縦溝４２Ｇとに跨って係入されている。
【００２７】
図示の形態では、係止板片５４Ｐは、下端に下向きに開口する係止溝５４ＰＧを有し、便座支持部材３０（ブラケット３２）の上昇位置で係止板片５４Ｐが斜めに変位して縦溝４２ＲＥＧ、４２Ｇから支持杆４２の外周から突出すると、この係止溝５４ＰＧに環状突出部５２Ｐの上縁が係入して係止部材５４（係止板片５４Ｐ）が便器本体１２から突出する環状突出部５２Ｐの上縁に係止されるようになっている。なお、係止溝５４ＰＧの一側には、支持杆４２の中空管４２Ｐ内から外れないように延びる延長片部５４ＰＥを有しており、これは、支持杆４２の最上昇位置（図７（Ｃ）及び（Ｄ）参照）で係止板片５４Ｐの係止溝５４ＰＧが環状突出部５２Ｐから外れるように過度に斜め変位するのを防止する機能を有する。
【００２８】
係止部材５４（係止板片５４Ｐ）は、図６（Ａ）（Ｂ）に示すように、その上端が便座支持部材３０であるブラケット３２の係入溝３２Ｇに係入し、その上端板面に、ブラケット３２のねじ孔３２Ｈにねじ込まれるセットスクリュー（イモねじ）５８を締め付けてブラケット３２に固定されている。従って、図示の形態では、支持杆４２は、この係止部材５４とブラケット３２とのセットスクリュー５８による固定を介してブラケット３２に取り付けられていることになり、従って係止部材５４（係止板片５４Ｐ）は、ブラケット３２と共にピン５６を介して枢動して支持杆４２に対して斜めに変位することができることになる。なお、図６（Ｂ），図７において符号３２Ｃは、ブラケット３２が下降位置にある際に、環状突出部５２Ｐに干渉しないように、ブラケット３２の下側に設けられた逃げ凹部を示し、この逃げ凹部３２Ｃは、ブラケット３２が係止板片５４Ｐと共に斜めに変位する際に逃げ凹部３２Ｃの壁が支持杆４２に干渉しないような大きさに設定されている。
【００２９】
次に、本発明の便座支持装置２０を備えた便器１０の使用状態を述べると、便座支持部材３０であるブラケット３２は、図１（Ａ）、図２、図４（Ａ）及び図７（Ａ）に示すように、通常では、便器本体１２の上面板１２ＴＰに接触させた下降位置にした状態にあって、便座１４及び便蓋１６を開閉して便器１０が使用される。
【００３０】
便器を清掃する際に、便座支持部材３０であるブラケット３２Ｒ、３２Ｌを手で持ち上げると、便座支持部材昇降機構４０の支持杆４２は、保持管４４内を案内されながら、図７（Ｂ）乃至（Ｅ）に示す順に上昇する。
【００３１】
支持杆４２は、図７（Ｂ）（Ｃ）に示すように、保持管４４内を垂直方向に上昇し、遂には、図７（Ｄ）に示すように、その下端のストッパー４６が保持管４４のねじ管４４Ｓの下端に衝合する。この位置では、係止部材５４である係止板片５４Ｐの下端の係止溝５４ＰＧを有する部分が被係止部５２である環状突出部５２Ｐの上方に位置する。ブラケット３２に固定されている係止板片５４Ｐは、ピン５６によって支持杆４２に枢支されているので、ブラケット３２は、図７（Ｄ）の位置では、便座１４、便蓋１６の重み又は便座１４、便蓋１６とともにブラケット３２を手で後方に押すことによって、ピン５６を中心にして相対的に傾き、このため、ブラケット３２に固定されている係止板片５４Ｐが図７（Ｄ）に示すようにその延長片部５４ＰＥが環状突出部５２Ｐの内面に衝合するまで斜めに変位してその下端の係止溝５４ＰＧを有する部分が環状突出部５２Ｐに対応するので、ブラケット３２から手を放すと、ブラケット３２は、その自重で下降し、係止溝５４ＰＧに環状突出部５２Ｐの上縁が係入するように、係止板片５２Ｐが環状突出部５２Ｐに支持される。このため、ブラケット３２は、環状突出部５２Ｐを介して便器本体１２の上面に下支えされることになり、ブラケット３２に上から力が加わってもブラケット３２が下降することがなく、ブラケット３２と便器本体１２の上面との間を確実に清掃することができる。
【００３２】
便器１０の清掃終了後、便座支持部材３０は、下降しなければならないが、この下降に先立って、便座支持部材３０（ブラケット３２）を若干持ち上げた状態で便座１４、便蓋１６と共に、便座支持部材３０を垂直に戻す（図７（Ｃ）参照）。便座支持部材３０を垂直に戻した後、便座支持部材３０を下降して図（Ｂ）（Ａ）の順に通常の使用状態に戻す。
【００３３】
本発明の異なる実施例が図８に示されており、この実施例では、位置保持手段５０の係止部材５４である係止板片５４Ｐが前の実施例とは１８０度異なる向きで配置されていることを除いて前の実施例と全く同じである。即ち、この実施例では、係止板片５４Ｐの延長片部５４ＰＥが図７の位置とは反対側の左側に位置している。従って、便座支持部材３０であるブラケット３２を持ち上げた後（図８（Ａ）参照）、便座１４、便蓋１６と共にブラケット３２を図７とは反対の手前に傾けると、係止板片５４Ｐの係止溝５４ＰＧが環状突出部５２Ｐの右側の縁部分に対応して掛け止めされ、下支えされることになる。
【００３４】
なお、図１乃至図７の実施例と図８の実施例とは、全く同じ部品を使用し、単に係止板片５４Ｐの向きを異ならせているだけであるので、使用者の希望に応じて便座支持部材３０の傾き方向を適宜設定することができる。
【００３５】
上記２つの実施例による便座支持部材３０の持ち上げ動作を纏めて要約すると、便座１４及び／又は便蓋１６を持ち上げて便座支持部材３０をその昇降機構４０のストッパー４６で規制された位置まで上昇させた状態で、便座１４及び／又は便蓋１６を前方又は後方に傾斜させるとこれに伴って便座支持部材３０も傾斜する。便座支持部材３０が傾斜すると、係止板片５４Ｐも傾斜し、その下端の係止溝５４ＰＧが被係止部５２である環状突出部５２Ｐに係止して便座支持部材３０が係止板片５４Ｐ及び環状突出部５２Ｐを介して便器本体１２の上面に下支えされる。
【００３６】
上記のように、本発明の便座支持装置によれば、便座支持部材３０の上昇（持ち上げ）位置で、位置保持手段５０の係止部材５４は、昇降方向に対して斜めに変位して便器本体１２の被係止部５２に係止するので、便座支持部材３０は便器本体１２で下支えすることになり、従って、上から垂直に力が加わることがあっても、便座支持部材３０が不本意に下降することがなく、便座支持部材３０を確実に持ち上げ状態に保持し、便器の清掃を確実に行うことができる。
【００３７】
また、支持杆４２と係止板片５４とが枢動自在に支持され、且つ係止板片５４の上端が便座支持部材３０に固定されているため、便座支持部材３０をその上昇位置で前後に傾けるだけで係止板片５４が斜めに変位して被係止部５２に係止されるので、簡単に作業することができ、取り扱い操作が容易となる。
【産業上の利用可能性】
【００３８】
本発明によれば、便座の如き枢動体を昇降自在に支持する洋風便器の如き物体に好適に用いられるが、便座支持部材は、持ち上げられた上昇位置で便器本体上に下支えされるので、便器の清掃時に、便座支持部材を上から手で押さえるようなことがあっても、便座支持部材が不本意に下降することがなく、便器の清掃を確実に行うことができる便器を提供することができるので、高い産業上の利用性を有する。
【符号の説明】
【００３９】
１０        便器（物体）
１２        便器本体（物体本体）
１２Ｈ      案内孔
１２ＴＰ    後部上面板
１４        便座（枢動体）
１４ＴＲ    タブ
１４ＴＬ    タブ
１６        便蓋（枢動体）
１６ＴＲ    タブ
１６ＴＬ    タブ
２０        便座支持装置（枢動体支持装置）
３０        便座支持部材（枢動体支持部材）
３２        ブラケット
３２Ｒ      ブラケット
３２Ｌ      ブラケット
３２Ｃ      逃げ凹部
３２Ｇ      係入溝
３２Ｈ      ねじ孔
３４Ｒ      ダンパーヒンジ
３４Ｌ      ダンパーヒンジ
４０        便座支持部材昇降機構（枢動体支持部材昇降機構）
４２        支持杆
４２Ｐ      中空管
４２Ｇ      縦溝
４２ＲＥ    位置合わせ端材
４２ＲＥＧ  １対の縦溝
４４        保持管
４４Ｓ      ねじ管
４４ＳＦ    フランジ
４４Ｎ      ナット
４４ＮＦ    フランジ
４６        ストッパー
４６Ｓ      頭部付ねじ
４６Ｎ      ナット
５０        位置保持手段
５２        被係止部
５２Ｐ      環状突出部
５４        係止部材
５４Ｐ      係止板片
５４ＰＧ    係止溝
５４ＰＥ    延長片部
５６        ピン
５８        セットスクリュー（イモねじ）
【図１】
0005840688.tif 000002
【図２】
0005840688.tif 000003
【図３】
0005840688.tif 000004
【図４】
0005840688.tif 000005
【図５】
0005840688.tif 000006
【図６】
0005840688.tif 000007
【図７】
0005840688.tif 000008
【図８】
0005840688.tif 000009